(57)【要約】【課題】防犯上のセキュリティを高めることができる異常監視システムを提供することにある。【解決手段】電子回路チップ１０３，１１３，１２３は、扉や窓の可動部１０２，１１２，１３２に取り付けられるとともに、個別の識別情報を記憶している記憶手段２１３を有している。読み出し手段であるアンテナ１０４，１１４，１２４は、扉や窓を固定する固定部に取り付けられるとともに、電子回路チップに記憶された個別情報を非接触で読み出す。中央監視装置２００のデータ監視部２０３は、読み出し手段を介して、電子回路チップに識別情報受信要求を出力するとともに、電子回路チップからの応答情報と予め登録された識別情報との異同により、異常を検知する。【選択図】  図２
2004164359.tif 000002
【特許請求の範囲】
【請求項１】
扉や窓の可動部に取り付けられるとともに、個別の識別情報を記憶している電子回路チップと、
扉や窓を固定する固定部に取り付けられるとともに、上記電子回路チップに記憶された個別情報を非接触で読み出す読み出し手段と、
この読み出し手段を介して、上記電子回路チップに識別情報受信要求を出力するとともに、上記電子回路チップからの応答情報と予め登録された識別情報との異同により、異常を検知する中央監視装置とを備えたことを特徴とする異常監視システム。
【請求項２】
請求項１記載の異常監視システムにおいて、
上記扉や窓の位置情報及び取り付けられた電子回路チップの固有情報は、グラフィカルな登録手段を持つ小型の端末を用いて取得可能であり、この小型端末を用いて、上記中央監視装置に一括で登録することを特徴とする異常監視システム。
【発明の詳細な説明】
【０００１】
【発明の属する技術分野】
本発明は、ドアや窓など開閉可能な構造物についての異常を監視する異常監視システムに関する。
【０００２】
【従来の技術】
従来、扉や窓などの開閉を検知する装置としては、例えば、特開昭５６−３６７９２号公報に記載されているように、報知装置制御用のリードスイッチを方立等のドアを囲む固定枠内に内蔵し、このリードスイッチに対応して  堅框等のドアの外周部にリミットスイッチ開閉用の磁石を内蔵し、ドアの開設時にリミットスイッチが動作してドアが開かれたことを検知するドア用検知装置が知られている。しかしながら、リミットスイッチやマグネットスイッチを用いて扉や窓の開閉を検知する従来の装置では、リミットスイッチやマグネットスイッチは固有の情報を持たない為、代替による成りすまし等に対して脆弱であり、防犯上、セキュリティを高めるには限度がある。また、検知装置の大きさや自重が大きくなる為、破損や脱落等運用が困難であり、さらにそれらの補修、交換も困難であった。
【０００３】
そこで、特開平１０−２８９３８８号公報に記載のように、扉や窓の異常検知手段として非接触で情報を読み取り、異常を検知するセンサを用いた異常検知システムが知られている。
【０００４】
【特許文献１】
特開昭５６−３６７９２号公報
【特許文献２】
特開平１０−２８９３８８号公報
【０００５】
【発明が解決しようとする課題】
しかしながら、特開平１０−２８９３８８号公報に記載されている非接触で情報を読み取り異常を検知するセンサを用いた異常検知システムは、それぞれの扉は窓において異常判定を行う為、それぞれの装置が大きくなりまたコストがかかる。また、複数の扉や窓の検知システムを構築する場合の登録作業が煩雑である。
【０００６】
本発明の目的は、防犯上のセキュリティを高めることができる異常監視システムを提供することにある。
【０００７】
【課題を解決するための手段】
（１）上記目的を達成するために、本発明は、扉や窓の可動部に取り付けられるとともに、個別の識別情報を記憶している電子回路チップと、扉や窓を固定する固定部に取り付けられるとともに、上記電子回路チップに記憶された個別情報を非接触で読み出す読み出し手段と、この読み出し手段を介して、上記電子回路チップに識別情報受信要求を出力するとともに、上記電子回路チップからの応答情報と予め登録された識別情報との異同により、異常を検知する中央監視装置とを備えるようにしたものである。
かかる構成により、防犯上のセキュリティを高めることができる。
【０００８】
（２）上記（１）において、好ましくは、上記扉や窓の位置情報及び取り付けられた電子回路チップの固有情報は、グラフィカルな登録手段を持つ小型の端末を用いて取得可能であり、この小型端末を用いて、上記中央監視装置に一括で登録するようにしたものである。
かかる構成により、小型，軽量で登録，補修運用が容易となる。
【０００９】
【発明の実施の形態】
以下、図１〜図６を用いて、本発明の一実施形態による異常監視システムの構成及び動作について説明する。
最初に、図１を用いて、本実施形態による異常監視システムのハードウェア構成について説明する。
図１は、本発明の一実施形態による異常監視システムのハードウェアの構成を示すブロック図である。
【００１０】
異常監視システムは、あらかじめ登録された場所にある扉や窓等の構造物１０２，１１２，１２２についての異常を検知するように構成されている。この扉や窓には、異常を検知する為に開閉体には電子回路チップ１０３，１１３，１２３が取り付けられており、固定部材には読み取り手段１０４，１１４，１２４が取り付けられている。読み取り手段１０４，１１４，１２４によって読み出された情報は、経路Ｌを通り、中央監視装置２００に送られる。中央監視装置２００は、読み取り手段１０４，１１４，１２４から送られてきた情報を元に異常の判定を行う。
【００１１】
次に、図２を用いて、本実施形態による異常監視システムのシステム構成について説明する。
図２は、本発明の一実施形態による異常監視システムのシステムの構成を示すブロック図である。
【００１２】
本実施形態の異常監視システムは、中央監視装置２００と、電子回路チップ１０３と、読み取り手段であるアンテナ系１０４と、携帯登録端末２２０とから構成されている。中央監視装置２００は、ＩＤ管理部２０１と、データ登録部２０２と、データ監視部２０３と、変復調器２０４とから構成されている。電子回路チップ１０４は、アンテナ系２１１と、制御手段２１２と、記憶手段２１３と、コンデンサ２１４から構成されている。また、携帯登録端末２２０は、アンテナ系２２１と、データ登録部２２２とから構成されている。
【００１３】
中央監視装置２００は、データ登録部２０２，データ監視部２０３による扉１０２への読み出し要求および返信を、変復調器２０４を通じて行う。ここで、扉情報の登録時は、データ登録部２０２が扉１０２に対して取り付けられている電子回路チップ１０３に登録されている固有の情報を要求し、入力された情報と共にＩＤ管理部２０１へ登録する。また、異常監視時は、データ監視部２０３が扉１０２に対して取り付けられている電子回路チップ１０３に登録されている固有の情報を要求し、ＩＤ管理部２０１に登録されている情報と比較しその結果を出力する。
【００１４】
電子回路チップ１０４は、中央監視装置２００からの読み出し要求に対し、記憶手段２１３に記憶されている特定の情報を制御手段２１２，アンテナ系２１１を通して、アンテナ系１０３へと送信する。
【００１５】
電子回路チップ１０４は、例えば０．３ｍｍ角の電子回路チップであり、薄型のほぼ直方体の形状を有している。電子回路チップ１０４は、シリコンチップの上に、記憶手段２１３とその読み出し回路である制御手段２１２として機能する電子回路と、コンデンサ２１４と、アンテナ２１１が形成されて構成されている。ここでメモリは書き換え不可能なメモリ部分（たとえば、ＲＯＭ）を含むものとする。
【００１６】
電子回路チップ１０４のアンテナ２１１は、外部から与えられた電波を受信すると電流を誘起し、電荷をコンデンサ２１４に蓄積する。そして、コンデンサ２１４に蓄積した電荷から得た電力を用いて、記憶手段２１３に記憶されている情報を制御手段２１２により読み出し、アンテナ２１１より電波を用いて送信するように動作する。すなわち、この電子回路チップに電波を与えることにより、外部より非接触で、電子回路チップの電子回路チップ１０４に記憶された情報を読み出すことができる。
【００１７】
次に、図３〜図５を用いて、本実施形態による異常監視システムにおける電子回路チップの取り付け位置の変更時処理の内容について説明する。
図３は、本発明の一実施形態による異常監視システムにおける電子回路チップの取り付け位置の変更時処理の内容を示すフローチャートである。図４は、本発明の一実施形態による異常監視システムにおける電子回路チップの取り付け位置の変更処理に使用する携帯登録端末２２０の表示例の説明図である。図５は、本発明の一実施形態による異常監視システムにおける電子回路チップの取り付け位置の変更処理時の中央監視装置２００の説明図である。
【００１８】
本実施形態による異常監視システムでは、扉や窓へ電子回路チップ及び読み取り手段を変更する際に、ＰＤＡ等の小型の携帯登録端末２２０を用いて、電子回路チップ及び読み取り手段がどの扉，窓に取り付けられているかの位置の入力を行う。
【００１９】
取り付け位置情報の登録作業を開始すると、ステップｓ１０において、携帯登録端末２２０は、ネットワークの設定や扉や窓情報の登録等の初期設定を行う。
【００２０】
ここで、図４を用いて、携帯登録端末２２０の位置設定のための入力画面例について説明する。
【００２１】
部屋１０２，１１２は、電子回路チップおよび読み取り手段が取り付けられた部屋を示している。電子回路チップ１０３，１１３は、それぞれ、部屋１０２，１１２の扉や窓に取り付けられている。
【００２２】
情報表示欄４３０，４３１には、現在登録されている扉情報（「Ｄｏｏｒ  １」，「Ｄｏｏｒ  ２」など）及び電子回路チップの固有情報（「ＦＦＦ１２３４５６６」，「ＦＦＦ１２３４５６７」など）が表示される。入力欄４１０，４１１には、それぞれ現在登録中の扉情報や、電子回路チップの固有情報が表示される。また、ボタン４２０、４２１は登録作業に用いるボタンである。
【００２３】
ステップｓ１０において、扉や窓の情報の登録を行うとき、入力欄４１０に登録する扉の場所（電子回路チップが設置されている場所）を入力する。例えば、図示の例では、入力欄４１０に部屋１１２に取り付けられた電子回路チップに対応する扉「Ｄｏｏｒ  ２」として入力される。
【００２４】
そしてステップｓ２０において、ＩＤ読み取りボタン４２０を押すと、携帯登録端末２２０は、登録したい電子回路チップに対し、記憶されている情報の受信要求を送信し、その結果の電子回路チップの固有情報（ＩＤ情報）を受信して、ＩＤ読み取りを実行する。受信した結果は、携帯登録端末２２０の入力欄４１１に表示される。例えば、図示の例では、「ＦＦＦ１２３４５６７」が部屋１１２の窓や扉に取り付けられた電子回路チップの固有情報として読み取られ、表示されている。
【００２５】
次に、ステップｓ３０において、携帯登録端末２２０を用いて、受信した電子回路チップに対応するアンテナの名称や番号、その他情報を入力する。
【００２６】
次に、ステップｓ４０において、携帯登録端末２２０の登録ボタン４２１を押すと、電子回路チップの固有情報や取り付け位置情報が、対応する表示欄４３０，４３１に表示されるとともに、その情報がデータ登録部２２２に登録される。
【００２７】
次に、ステップｓ５０において、作業を終了するかどうかを決定する。ここで、別の電子回路チップの登録を行う場合はステップｓ１０に戻り、終了する場合は終了する。
【００２８】
そして、その記憶された情報は、図５の中央監視装置のＩＤ管理部２０１へＰＤＡの通信機能や経路Ｌ、外部記憶媒体等を用いて登録する。
【００２９】
データ登録部２０２は、接続された扉や窓の電子回路チップに対し固有情報受信要求を行い、それに対して戻ってきた電子回路チップの固有情報と登録ツールから送られてきた固有情報を比較し一致する受信経路を元に、読み取り手段の位置や名称などの固有情報を登録する。この時、複数の扉や窓に対して登録ツールを用いて上記操作を行い一括で登録することもできる。また、扉や窓に取り付けられた電子回路チップを交換する場合には、データ登録部２０２が変更した扉や窓の電子回路チップに対し、固有情報受信要求を送信し、その要求に対して戻ってきた電子回路チップの情報をその開閉体の名称や位置などの情報と共にデータ管理部の変更を行うこともできる。これによって、複数の扉や窓を一括管理でき、また故障等により電子回路チップの交換や、扉や窓の増設による固有情報の変更および追加に対応することができる。
【００３０】
また、電子回路チップは、外部より非接触で情報を書き込み可能な記憶領域である追記用記憶手段を有し、扉や窓に取り付けられた電子回路チップの記憶手段に新たな個別情報を書き込むことが可能である。
【００３１】
次に、図６を用いて、本発明の一実施形態による異常監視システムにおける異常監視処理の内容について説明する。
図６は、本発明の一実施形態による異常監視システムにおける異常監視処理の内容を示すフローチャートである。
【００３２】
データ監視部２０３は、監視作業を開始すると、ステップｓ１００において、ネットワークの設定等の初期設定を行う。
【００３３】
次に、ステップｓ１１０において、監視対象となる扉や窓の情報をＩＤ管理部２０１から呼び出す。
【００３４】
次に、ステップｓ１２０において、その監視対象となる扉や窓に対して取り付けられた電子回路チップ１０３，１１３，１２３等に記憶されている情報の受信要求を変復調器２０４及びアンテナ系１０４，１１４，１２４等を介して電子回路チップ１０３，１１３，１２３等送信し、その結果を電子回路チップ１０３，１１３，１２３等から受信する。
【００３５】
ここで、扉や窓の開閉体に取り付けられた固有の情報を有する電子回路チップ１０３，１１３，１２３と、固定部材に取り付けられた読み取り手段１０４，１１４，１２４とは、非接触で情報の授受が可能であるが、情報の授受が可能なのは扉や窓が閉じられた状態の時だけであり、両者の距離が大きくなると，すなわち、扉や窓が開放されていると情報の授受が不可能となるように構成されている。したがって、データ監視部２０３は、その固有情報を得られるか否かによって異常を検知することができる。
【００３６】
次に、ステップｓ１３０において、ステップｓ１１０で呼び出された情報と、ステップｓ１２０で受信した情報を比較する。ここで、扉や窓が閉じられている場合には両者の情報が等しくなり、この場合はステップｓ１５０へ移行し、扉や窓が開放されている場合には両者の情報が不一致となり、この場合はステップｓ１４０で異常情報を出力する。
【００３７】
ステップｓ１５０では、作業を終了するかどうかを決定し、もし次の監視作業を行う場合はステップｓ１１０へ戻り、そうでない場合は終了する。
【００３８】
以上に説明したように、本実施形態では、固定部材と開閉体が所定の位置にあるかどうかを、電子回路チップからの所定の識別情報が得られるか否かに基づいて検知するため、従来に比べて防犯上のセキュリティを著しく高めることができる。
【００３９】
また、異常監視装置であるデータ監視部は、リミットスイッチやマグネットスイッチ等のように接点のオン・オフだけではなく、電子回路チップに記憶されている情報そのものを知ることができ、この情報を基づいて異常監視を行うことで、信頼性の高い異常判断が可能となる。
【００４０】
また、電子回路チップは、ユニークな識別情報を持つため、他の電子回路チップを用いたなりすましに対しても検知することができる。
【００４１】
また、超小型の電子回路チップを用いることにより、脱落等の可能性を減らすことができる。
【００４２】
さらに、読み取り器と識別情報の組み合わせをＧＵＩを用いた携帯登録端末を用いて一括で変更が出来る為、保守を容易にすることができる。
【００４３】
【発明の効果】
本発明によれば、防犯上のセキュリティを高めることができる。
【図面の簡単な説明】
【図１】本発明の一実施形態による異常監視システムのハードウェアの構成を示すブロック図である。
【図２】本発明の一実施形態による異常監視システムのシステムの構成を示すブロック図である。
【図３】本発明の一実施形態による異常監視システムにおける電子回路チップの取り付け位置の変更時処理の内容を示すフローチャートである。
【図４】本発明の一実施形態による異常監視システムにおける電子回路チップの取り付け位置の変更処理に使用する携帯登録端末２２０の表示例の説明図である。
【図５】本発明の一実施形態による異常監視システムにおける電子回路チップの取り付け位置の変更処理時の中央監視装置２００の説明図である。
【図６】本発明の一実施形態による異常監視システムにおける異常監視処理の内容を示すフローチャートである。
【符号の説明】
１０２，１１２，１２２…扉や窓等の構造物
１０３，１１３，１２３…電子回路チップ
１０４，１１４，１２４…読み取り手段
２００…中央監視装置
２０１…ＩＤ管理部
２０２…データ登録部
２０３…データ監視部
２０４…変復調器
２１１…アンテナ系
２１２…制御手段
２１３…記憶手段
２１４…コンデンサ
２２０…携帯登録端末
２２１…アンテナ系
２２２…データ登録部
【図１】
2004164359.tif 000003
【図２】
2004164359.tif 000004
【図３】
2004164359.tif 000005
【図４】
2004164359.tif 000006
【図５】
2004164359.tif 000007
【図６】
2004164359.tif 000008